(57)【特許請求の範囲】
【請求項１】
左右に併設した同長の左縦桁および右縦桁の内側に前方から順次後方に前部横桁、中間部横桁、後部パイプ横桁を固着し、前部外側にそれぞれ直角に前部左側および右側の水平バーを横一線上に突設し、前記後部パイプ横桁の下方に前記左右の縦桁を横断し左右に等長に突出する後部水平バーを高低調節自在に設ける、前端部をトラクタの油圧三点リンクヒッチに着脱自在に連結する方形フレームと、外端部をそれぞれ前記前部左、右側の水平バーの外端部に着脱自在に取付け、内端部を前記方形フレームの前部中央に設けた前部ギャング角調節装置に連結したギャング角調節可能な前部左右のギヤングを、前記方形フレームの前部下方を横断し中央部から左右に配設した前部デスクハローと、前記方形フレームの下部を横断し高低調節自在に前記前部デスクハローの後方に配設したカルチベータと、前記後部水平バーの両外端部にそれぞれその両外端部を着脱自在に取付け、内端部を前記後部水平バーの前部中央に設けた後部ギャング角調節装置に連結したギャング角調節可能な後部左右のギャングを、前記方形フレームの後部下方を横断し前記カルチベータの後方に配設した後部デスクハローと、前記方形フレームの後部から後方に上下揺動を制限し左右に併設するとともに、後方に突設するＬ形アームの下端部に左右に位置調節可能に横設し、前記後部デスクハローの後方に配設したケージローラとを備え、前記前部および後部のデスクハローをタンデム形式に配設した直装形複合作業機。
【請求項２】
左右に併設した同長の左縦桁および右縦桁の内側に前方から順次後方に前部横桁、中間部横桁、後部パイプ横桁を固着し、前部外側にそれぞれ直角に前部左側および右側の水平バーを横一線上に突設し、前記後部パイプ横桁の下方に前記左右の縦桁を横断し、左右に等長に突出する後部水平バーを高低調節自在に設ける前端部をトラクタの油圧三点リンクヒッチに着脱自在に連結する方形フレームと、この方形フレームの前部中央に設けた前部ギャング角調節装置に連結するギャング角調節ボルトが貫通する複数のオフセット調節孔をその左右方向中心線上の中央から左右に設け、前記左、右側の水平バーに両端部を着脱自在に取付け、前記方形フレームの前部下方を横断し設ける前部ギヤングバーの下方に、凹面を左方に向け複数のデスクハロー円板を等ピッチに配設した前部デスクハローと、前記方形フレームの下部を横断し高低調節自在に前記前部デスクハローの後方に配設したカルチベータと、前記後部水平バーの前部中央部に設けた後部ギャング角調節装置のギャング角調節ボルトが貫通する複数のオフセット調節孔を、その左右方向中心線と平行な横一線上に設けたギャング移動板を前記後部水平バーの前部中央に水平に突設し、後部水平バーの両端部にその両端部を着脱自在に取付けた後部ギャングバーの下方に、凹面を右方に向け複数の円板を等ピッチに配設した後部デスクハローと、前記方形フレームの後部から後方に上下揺動を制限し左右に併設するとともに、後方に突設するＬ形アームの下端部に、左右に位置調節可能に前記後部デスクハローの後方に横設したケージローラとを備え、前記前部と後部のデスクハローをオフセット形式に配設した直装形複合作業機。
【請求項３】
前記方形フレームの左、右縦桁の前部および中間部内側に、それぞれ前部横桁および中間部横桁を水平に固着し、前記前部横桁および前部右側水平バーに、それぞれ中間部左右を着脱自在に取付け、円板凹面を左方に向け複数の円板を回動自在に併設した前部右デスクハローと、前記中間部横桁および前部左側水平バーに、それぞれ中間部左右を着脱自在に取付け、前記前部右デスクハローと同一に円板を併設するとともに、前記前部右デスクハローの左後方に配設した前部左デスクハローと、前記前部右デスクハローと前部左デスクハローの後方に高低調節自在に前記方形フレームの中間部下方を横断し配設したカルチベータと、前記後部水平バーの左端部および中間部にその中間部左右を着脱自在に取付け、円板凹面を右方に向け複数の円板を等ピッチに配設した後部左デスクハローと、前記後部水平バーの右端部および中間部にその中間部左右を着脱自在に取付け、前記後部左デスクハローと同一に円板を配設するとともに、前記後部左デスクハローの右後方に配設した後部右デスクハローとを備え、左側の前、後部のデスクハローおよび右側の前、後部のデスクハローをそれぞれオフセット形式に配設したことを特徴とする請求項２記載の直装形複合作業機。
【請求項４】
前記方形フレームが、前記前部デスクハローの後方に前記カルチベータのフレームを高低調節可能に取付ける角筒を、左右の縦桁に左右ならびに前後対向かつ垂直に固着し、前記カルチベータの後方に前記後部デスクハローを取付ける後部水平バーを高低調節可能に取付ける角筒を、前記左、右の縦桁の後部に左右対向かつ垂直に固着し、前記後部水平バーを取付ける左右の角筒の後方に前記ケージローラを取付けるＬ形アームの前端部を枢着するヒンジと、このヒンジの後方にケージローラ上下動制限枠を左右対向かつ垂直に設けたものである、請求項１記載の直装形複合作業機。
【請求項５】
前記後部水平バーの上面中央部からブラケットを後方に突設し、このブラケットの後端部に角筒を垂直に固着し、この角筒に上下に位置調節自在に固定する支柱を挿通し、この支柱の下端に接地底板を固着したスタンドを設けている請求項１記載の直装形複合作業機。
【発明の詳細な説明】
【０００１】
【発明の属する技術分野】
本発明は、トラクタの油圧三点リンクヒッチに連桔し、一工程で耕起、砕土、均平、鎮圧を行い播種床を形成する直装形複合作業機に関する。
【０００２】
【従来の技術】
近年、労働の生産性を高め、トラクタが圃場に入る回数を減少させるために、圃場用の複合作業機が使用されている。複合作業機は、各種関連作業機を組み合わせて一体にするものである。
【０００３】
また、プラウによる反転すき込みを行わずにデスクハローで耕起した後カルチベータやロータリで攪土し、スプリングタインハローで細砕土し、さらにケージローラで均平に鎮圧し、播種床を形成することが行われている。このような作業工程を選択する背景として、例えば、麦類を播種後３カ月程度で刈り取り、茎葉を粉末化して健康食品にすることがあげられる。すなわち、最終収穫を目的にしないので、播種床形成を安価に行うために複合作業機を使用するのである。
【０００４】
従来の圃場用複合作業機の一例として、図２５に概略を示すものが特願２０００−３５２５１１号に提案されている。この圃場用複合作業機は、前部中央にドローバーＡ１を突設したけん引フレームＡ２の下方に、前方から順次後方へ、花形デスクハローＡ３、カルチベータＡ４、油圧昇降自在な左右の運搬車輪Ａ５、Ａ６、スプリングタインハローＡ７を前進方向に対し直交かつ直列に配設し、スプリングタインハローフレームＡ８の後端部に立設するケージローラ上下動制限板Ａ９、Ａ１０を通過させた左右の連結アームＡ１１、Ａ１２の後端部に、複列ケージローラＡ１３を取付けている。前記運搬車輪Ａ５、Ａ６は、けん引トラクタの油圧装置に連結した油圧ホースＡ１４により油圧を受け、地面に対し作業機を昇降させるようになっている。
【０００５】
【発明が解決しようとする課題】
図２５に示した圃場用複合作業機は、けん引形で機体が大きいことから回行枕地が大きくなり、耕耘残しが多くなるという問題点があった。また、所要けん引力が大きいので、使用が大型トラクタに限られるという問題点もあった。
【０００６】
そこで、本発明は、小面積の枕地で回行ができ、しかも取扱性が良好なものとして、トラクタの油圧三点リンクヒッチに直装できる直装形複合作業機を提供することを、解決しようとする課題としたものである。また、耕地の周辺部や隅などトラクタが近づきにくいところで、トラクタに対しオフセットして耕耘可能な複合作業機を提供することも、本発明が解決しようとする課題である。さらに、ギャングを左右に並べた従来のデスクハローは耕耘幅を変えられないが、作業能率を上げるため耕耘幅を増加できる複合作業機の提供も、解決しよとする課題である。
【０００７】
【課題を解決するための手段】
以上の課題に対し、本発明は、前部をトラクタの油圧三点リンクヒッチに着脱自在に連結する方形フレームを、左右に併設した同長の左縦桁および右縦桁の内側に前方から順次後方に前部横桁、中間部横桁、後部パイプ横桁を固着し、前部外側に、それぞれ直角に前部左側および右側の水平バーを横一線上に突設し、前記後部パイプ横桁の下方に前記左右の縦桁を横断し左右に等長に突出する後部水平バーを高低調節自在に設けたものにした。
【０００８】
そして、外端部をそれぞれ前記前部左、右側の水平バーの外端部に着脱自在に取付け、内端部を前記方形フレームの前部中央部に設けた前部ギャング角調節装置に連結したギャング角調節可能な前部左右のギャングを、前記方形フレームの前部下方を横断し中央部から左右に配設し、前部デスクハローに形成した。
【０００９】
また、前記方形フレームの下部を横断し高低調節自在に前記前部デスクハローの後方にカルチベータを配設した。また、前記後部水平バーの両外端部にそれぞれその両外端部を着脱自在に取付け、内端部を前記後部水平バーの前部中央に設けた後部ギヤング角調節装置に連結したギヤング角調節可能な後部左右のギャングを、前記方形フレームの後部下方を横断し前記カルチベータの後方に配設し、後部デスクハローに形成した。
【００１０】
そして、前記方形フレームの後部から後方に上下揺動を制限し左右に併設するとともに、後方に突設するＬ形アームの下端部に左右に位置調節可能に横設し、前記後部デスクハローの後方にケージローラを配設し、前記前部および後部デスクハローをタンデム形式に配設した。以上のように、方形フレームに、順次前方から後方へ前部デスクハロー、カルチベータ、後部デスクハローおよびケージローラを配設し、直装形複合作業機に構成した。
【００１１】
また、前部をトラクタの油圧三点リンクヒッチに着脱自在に連結する方形フレームを、左右に併設した同長の左、右縦桁の内側に前方から順次後方に前部横桁、中間部横桁、後部パイプ横桁を固着し、前部外側にそれぞれ直角に前部左側および右側の水平バーを横一線上に突設し、前記後部パイプ横桁の下方に前記左右の縦桁を横断し左右に等長に突出する後部水平バーを高低調節自在に設けるものにした。
【００１２】
そして、この方形フレームの前部中央に設けた前部ギャング角調節装置に連結するギャング角調節ボルトが貫通する複数のオフセット調節孔をその左右方向中心線上の中央から左右に設け、前記左右側の水平バーに両端部を着脱自在に取付け、前記方形フレームの前部下方を横断し設ける前部ギキャングバーの下方に、凹面を左方に向け複数の円板を等ピッチに配設し前部デスクハローに形成した。そして、前記前部デスクハローの後方に前記方形フレ−ムの下部を横断し高低調節自在にカルチベータを配設した。
【００１３】
また、前記後部水平バーの前部中央に設けた後部ギャング角調節装置のギヤング角調節ボルトが貫通する複数のオフセット調節孔を、適当ピッチにその左右方向中心線と平行な横一線上の中央から左右に設けたギャング移動板を前記後部水平バーの前部中央に突設し、後部水平バーの両端部にその両端部を着脱自在に取付けた後部ギャングバーの下方に、凹面を右方に向け複数の円板を等ピッチに配設し、後部デスクハローに形成した。そして、前記方形フレームの後部から後方に上下揺動を制限し左右に併設するとともに、後方に突設したＬ形アームの下端部に、前記後部デスクハローの後方にケージローラを左右に位置調節可能に横設し、前記前部と後部のデスクハローをオフセット形式に配設し直装形複合作業機にしたものである。
【００１４】
また、請求項２に記載の直装形複合作業機と別形式のものとして、前記方形フレームの左、右縦桁の前部および中間部の内側に、それぞれ前部横桁および中間部横桁を水平に固着し、前記前部横桁および前部右側水平バーに、それぞれ右端部および中間部左右を着脱自在に取付け、円板凹面を左方に向け複数のデスクハロー円板を回動自在に併設し、前部右デスクハローに形成した。
【００１５】
そして、前記中間部横桁および前部左側水平バーに、それぞれ中間部左右を着脱自在に取付け、円板凹面を左方に向け複数の円板を回動自在に併設し前部右デスクハローに形成した。そして、前記中間横桁および前部左側水平バーに、それぞれ中間部左右を着脱自在に取付け、前記前部右デスクハローと同一に円板を併設する前部左デスクハローを形成し、前記前部右デスクハローの左後方に配設した。また、前記前部右デスクハローと前部左デスクハローの後方に高低調節自在に前記方形フレームの中間部下方を横断しカルチベータを配設した。また、前記後部水平バーの左端部および中間部にその中間部左右を着脱自在に取付け、円板凹面を右方に向け複数の円板を等ピッチに配設し、後部左デスクハローにし、前記後部水平バーの右端部および中間部にその中間部左右を着脱自在に取り付け、前記後部左デスクハローと同一に円板を配設し後部右デスクハローにするとともに、前記後部左デスクハローの右後方に配設した。そして、左側の前、後部のデスクハローおよび右側の前、後部のデスクハローをそれぞれオフセット形式に配設し、直装形複合作業機に構成したものである。
【００１６】
また、本発明は、方形フレームが、前記前部デスクハローの後方に前記カルチベータのフレームを高低調節可能に取付ける角筒を、左右の縦桁に左右ならびに前後対向かつ垂直に固着し、前記カルチベータの後方に前記後部デスクハローを取付ける後部水平バーを高低調節可能に取付ける角筒を、前記左、右の縦桁の後部に左右対向かつ垂直に固着し、前記後部水平バーを取付ける左右の角筒の後方に前記ケージローラ取付けるＬ形アームの前端部を枢着するヒンジと、このヒンジの後方にゲージローラ上下制限枠を左右対向かつ垂直に設けたものである。
【００１７】
また、本発明の直装形複合作業機は、前記後部水平バーの中央部上面からブラケットを後方に突設し、このブラケットの後端部に角筒を垂直に固着し、この角筒に上下に位置調節自在に固定する支柱を挿通し、この支柱の下端に接地底板を固着したスタンドを設けているものにした。
【００１８】
【実施例】
次に、図面を参照し実施例を説明する。以下の説明において、左右の表示は前進方向に見ての表示である。図１および図２は、本発明の第１実施例の平面図および左側面図であり、図３および図４は、それぞれ第２実施例の平面図および左側面図、図５および図６は、それぞれ第３実施例の平面図および左側面図である。図７は、図１ないし図３における
方形フレ−ムの要部斜視図ある。
【００１９】
図１、図２および図７を参照し説明すると、１は方形フレームであり、左右に同長に併設する左縦桁１a、右縦桁１ｂの内側に前部横桁１０、中間部横桁１１、後部パイプ横桁１２、後部横桁１３を固着し、全体として方形枠に形成している。左右の縦桁１ａ、１ｂ、前部横桁１０、中間部横桁１１、後部パイプ横桁１２、後部横桁１３には、軽量化のため角パイプを用いた。１４は、図２に示すトラクタＴのアッパーリンクＵＬを連結するアッパーリンクマストであり、基部を中間部横桁１１の中央部に固着し斜め前上方に突設し、
先端部にアッパーリンク連結孔を設けている。１５は、トラクタＴのロワーリンクＬＬに連結するブラケットであり、左右の縦桁１ａ、１ｂの前端部にそれぞれ突設し、ロワーリンクピン１６を備えている。
【００２０】
さらに、方形フレーム１は、左右の縦桁１a、１bの前端部外側面に前部左水平バー１７および前部右水平バー１８を直角に突設し、後述する耕幅２．５ｍの前部デスクハロー２における前部ギャング４と５を、それぞれ取付ける幅にしている。前部の左右水平バー１７と１８は、角パイプである。また、左縦桁１aおよび右縦桁１ｂの外側面には、前部デスクハロー２の後方にカルチベータフレーム１３１を高低調節自在に取付ける角筒１９と２０および角筒２２と２３が、それぞれ左右ならびに前後対向かつ垂直に固着されている。また、カルチベータ８の後方に後部デスクハロー３を取付ける後部水平バー３７を高低調節自在に装着する角筒２１を左縦桁１aに、角筒２４を右縦桁１bに垂直かつ右左対向に固着している。各角筒１９乃至２４の上部には、左右方向に高低調節ピン１２８（図２０参照）を連通する角柱高低調節孔２７を上下方向中心線上に設けている。
【００２１】
図２における２５は、ケージローラ９を上下動自在に取付けるヒンジであり、左右の縦桁１a、１bの後部に左右対向に立設されている。２６は、逆Ｕ形に形成し、方形フレームの後部両端部に左右対向に立設されたケージローラ上下動制限枠である。２８はスタンドであり、前、後部デスクハロー２、３のギャング角調整やカルチベータ８の高低調節の際に、方形フレーム１を一時的に支持するように設けている。
【００２２】
次に、２９および３０は、それぞれ前部デスクハロー２の左ギャングバーおよび右ギャングバーであり、下部にデスクハロー円板を配設する角パイプの直桁である。図１における３１ないし３６はそれぞれ角柱であり、それぞれ角筒１９ないし２４に上下摺動自在に内嵌されている。角柱３１と３２および角柱３４と３５は、それぞれ下端がカルチベータフレーム１３１の上面中央部の左右に固着されている。そして、角柱３１〜３５をそれぞれ角筒１９〜２３にそれぞれ挿通し、前述した高低調節ピン１２８で取付けると、カルチベータ８が方形フレーム１の下方に左右対称に横設されるようになっている。
【００２３】
図２０を参照して説明すると、角筒２３は上部が右縦桁１bより突出し、上下方向中心線上の前記突出部に左右に連通する高低調節孔２７を上下に２個設けている。角柱３５は、角筒２３の高低調節孔２７と連通する高低調節孔２７ａを４個設け、高低調節孔２７と２７aに高低調節ピン１２８を連通すると、角柱３５が角筒２３に取付けられるようになっている。角筒１９ないし２４とこれらにそれぞれ挿通する角柱３１ないし３６との結合も、角筒２３と角柱３５の結合と同一である。
【００２４】
図１における４６、４７は、花形円板４８の危害を予防する保護パイプであり、前部左右のギャングバー２９および３０に、図２のように、ブラケット５０で前部左右のギャング４、５の前方に水平に固定されている。図２の４９は、後部デスクハロー３に装着された完全円周円板（以下、全円板と略す）である。
【００２５】
次に、図８、図９、図１０を参照し、前部デスクハロー２の詳細を説明する。前部左ギャングバー２９は、図９のように、内側先端部に上面からの厚さを二分の１にしたアーム８５を斜め右前方に突設し、前部右ギャングバー３０にも、内側先端部に下面からの厚さを二分の一にしたアーム８６を斜め左前方に突設し、図１０、図１３のように、アーム８５と８６を上下に重ね合わせた交差部に設けたボルト孔８７に前部ギャング角調節ボルト４３を連通し、前部左ギャングバー２９と前部右ギャングバー３０を回動自在に連結している。
【００２６】
また、前部の左右ギャングバー２９と３０は、それぞれ６枚の外径５０、８ｃｍの花形円板４８を凹面外向きに等ピッチに配設し、耕耘幅を１１３ｃｍにしている。図１０は図８要部の正面図であり、前部左ギヤングバー２９は両端部にそれぞれ直交に固着したギャング支柱取付け板７８の下面に、それぞれ左ギャング支柱８８の上面を符号省略のボルトナットで固定し、左右の左ギャング支柱８８下端部に軸中心線を左右方向に向け軸受け９０を取付けている。軸受け９０は、花形円板４８の内側２枚と外側の２枚の中央部にそれぞれ位置している。軸受け９０は、上下二分割の構造であり、ベアリングスプール９１を上下に挟んでボルトナットで締付ける公知のものである。前部右ギャングバー３０にも、前部左ギャングバー２９と同様に、左右のギャング支柱取付け板７８、７８に取付けた右ギャング支柱８９の下端に、ベアリングスプール９１を上下に挟む軸受け９０を取付けている。
【００２７】
図１の前部左ギャング４と前部右ギャング５は、図１０に示すように、最内側の花型円板４８の外面中心部にワッシャ９４を当接し、断面角形のギャングボルト９３をワッシャ９４から花形円板４８、ベアリングスプール９１、４枚の花形円板４８と３個のデスクスプール９２を挿通し、さらにベアリングスプール９１、花型円板４８を挿通し、端末にギャングボルトナット９５（図２参照）を螺着し締付けて構成されている。花形円板４８は、中心部にギャングボルト９３が貫通する角孔が設けられ、軸受け９０、ベアリングスプール９１およびデスクスプール９２は、長手方向の中心部にギャングボルト９３が挿通する角孔を形成した鋳鉄製である。
【００２８】
前部左ギャング４と前部右ギャング５は、前部左ギャングバー２９および前部右ギャングバー３０を、それぞれ方形フレーム１の前部左側水平バー１７および前部右側水平バー
１８の下面にクランプ金具４０で締付け固定するものである。クランプ金具４０は、上下の平鋼板に符号省略のボルトを連通し、ナットで緊締するものである。図１０で説明した前部ギャング角調節ボルト４３は、方形フレーム１の前部中央部に設ける前部ギャング角調節装置４２に連結されている。すなわち、前部左ギャング４および前部右ギャング５は、外端部がそれぞれ前部左側水平バー１７および前部右側水平バー１８に着脱自在に取付けられ、内端部がギャング角調節ボルト４３によって前部ギャング角調節装置４２に連結され、前部デスクハロー２を構成している。
【００２９】
前部デスクハロー２は、前部左右のギャングバー２９と３０を一線上に並べたとき、ギャング角がゼロである。ギャング角がゼロの状態で前部左右のギャングバー２９および３０を、それぞれ前部の左側および右側の水平バー１７および１８にクランプ金具４０で固定すると、前部左右のギヤング４と５の最も内側に位置する花形円板４８の相互間隔が２４ｃｍになるように構成されている。したがって、前述したように、耕耘幅１１３ｃｍの前部左右のギャング４と５に前記の２４ｃｍが加わり、前部デスクハロー２の耕耘幅は２５０ｃｍになっている。
【００３０】
図２、図８を参照し説明すると、左ギャングバー２９の左右にそれぞれ直交に固着したギャング支柱取付け板７８の後端部に、ギャングバー２９と平行にスクレーパバー７９を水平に固定し、同様に、右ギャングバー３０の左右にそれぞれ直交に固着したギャング支柱取付け板７８の後端部に、右ギャングバー３０と平行にスクレーパバー７９を水平に固定している。左ギャングバー２９のスクレーパバー７９に、先端部が各花形円板４８の後半部凹面に当接するスクレーパ８０を取付け、右ギャングバー３０のスクレーパバー７９に、先端部が各花形円板４８の後半部凹面に当接するスクレーパ８１を取付けている。
【００３１】
次に、本発明の直装形複合作業機は、図１のように、前部デスクハロー２の後方にカルチベータ８を配設している。すなわち、角筒１９と角筒２０を左縦桁１aの外側面に縦一線上に並べ、角筒２２と２３を右縦桁１ｂの外側面に縦一線上に並べ、角筒１９と２２、角筒２０と２３を、それぞれ左右ならびに前後対向かつ垂直に固着し、角筒１９と角筒２０にそれぞれ角柱３１、３２を挿通し、角筒２２と２３にそれぞれ角柱３４と３５を挿通し、図２０で説明したように、高低調節ピン１２８で各角柱を各角筒に同じ高さに取付け、角柱３１、３２、３４および３５の下端面を、前後に平行に横設する角パイプ桁のカルチベータフレーム１３１の中央部上面に固着している。カルチベータフレーム１３１は、横幅を前部デスクハロー２のそれより大きくし、前後の縦幅が約５５ｃｍである。
【００３２】
図２０、図２１を参照して、カルチベータ８を説明すると、前述したように、方形フレーム１の右縦桁1bの外側面に固着した角筒２３に角柱３５が下方から挿通され、角筒２３の角柱高低調節孔２７に角柱３５の角柱調節孔２７aを一致させ、高低調節ピン１２８を連通し、角柱３５を角筒２３に取付けている。図1における、角柱１９と角筒３１、角柱３２と角筒２０、角柱３４と角筒２２の取付け状態も、角柱３５と角筒２３の取付け状態と同じである。１３２はスプリングタインであり、直線部の後方にダブルコイル部が接続し、後部の下方湾曲部の下端部に中耕爪１３３がボルトナット１３４で固定されている。中耕爪１３３の下端は、前部デスクハロー２の下縁に一致するようになっている。すなわち、角柱３１、３２、３４、３５が、図２０の状態より下降して対応する角筒に取り付けができるように、角柱高低調節孔２７、２７aが複数設けられている。
【００３３】
図２０、図２１における１３５はタインストッパーであり、スプリングタイン１３２の前端部上面に溶着され、タインストッパー１３５の後端面は、カルチベータフレーム１３１の前面に当接し、作業時にスプリングタイン１３２が耕耘抵抗によって後方に移動するのを止めるようになっている。１２９はクランプ金具であり、カルチベータフレーム１３１の横桁下面に前部上面を当接し、スプリングタイン１３２の下面と前記横桁の上面とにそれぞれ平鋼板を当て、前後２本のボルトナットによってスプリングタイン１３２をカルチベータフレ−ム１３１に固定している。実施例のカルチベータ８は、カルチベータフレーム１３１の前部横桁に５本のスプリングタイン１３２を間隔６０ｃｍで配設し、後部横桁に４本のスプリングタイン１３２を、それぞれ前部横桁のスプリングタイン１３２の間隔中央部に位置するように配設している。
【００３４】
次に、図１１、図１２を参照し、後部デスクハロー３を説明する。後部左ギャングバー３８および後部右ギャングバー３９の内端部には、図９と同じようにアーム部８５および８６を斜め前方に突出し、アーム部８５と８６を重ね合わせた交差部に設けられたボルト孔８７にギャング角調節ボルト４５が下方から上方に挿通され、後部左右のギャングバー３８および３９が回動自在に連結されている。後部左右のギャングバー３８と３９は、図１２のように、左右両端部にギャング支柱取付け板７８を直交に固着している。後部デスクハロー３は、後部左ギャング６および後部右ギャング７がそれぞれ外径５０．８ｃｍの全円板４９が６枚配設される以外の構成は、前部デスクハロー２と同一であり、耕耘幅が２５０ｃｍである。
【００３５】
後部左ギャング６の最内側の全円板４９と後部右ギャング７の最内側の全円板４９との間隔が２４ｃｍになるように、後部左右のギャング６と７が後部水平バー３７の両端部にそれぞれクランプ金具４１で着脱自在に取付けられている。後部左右のギャング６、７を横一線上に沿って後部水平バー３７に取付けると、後部デスクハロー３はギャング角がゼロである。
【００３６】
後部水平バー３７は、図１、図１２に示すように、角筒２１おおよび２４に下方から上方に挿通する角柱３３および３６の下端面に中央部の左右を固着し、角柱３３、３６からそれぞれ外方に等長に突出させるとともに、後部左ギャングバー３８と後部右ギャングバー３９の外端部をクランプ金具４１（図１参照）で取付けるようになっている。後部水平バー３７は、長さ２．２ｍの角パイプである。図８を参照し説明すると、後部デスクハロー３の後部左ギャングバー６の左右に直交に固着したギャング支柱取付け板７８、７８の後端部に後部左ギャングバー３８と平行にスクレーパバー８２を取付けている（図８参照）。そして、先端が各全円板４９の凹面後半中央部に当接するスクレーパ８３を、スクレーパバー８２に配設している。同様に、後部右ギャングバー３９の左右両端部に固着したギャング支柱取付け板７８、７８の後端部に、スクレーパバー８２を取付け、先端部が各全円板４９の凹面後半中央部に当接するスクレーパ８４を配設している。
【００３７】
次に、図１４を参照し、前部ギャング角調節装置４２を説明する。９６は、上面開放の箱体であり、方形フレーム１の前部横桁１０と中間部横桁１１の中央部に直交に前、後端部を固着している。９７はギャング角調節ネジ棒であり、前後に前部横桁１０を貫通しスパナをかける六角頭部を前部横桁の前面に突出させ、端末部が箱体９６の後部右側に立設した軸受け９８に回動自在に支持され、端末部に軸受け９８を挟み外嵌されたナット９９と１００が、図示省略の止めピンで固定され、捻回時に前後の移動がナット９９と１００で止められ、軸受け９８に対し回動自在になっている。
【００３８】
１０１は雌ネジ移動子であり、グャング角調節ネジ棒９７に螺着され、ギャング角調節ネジ棒９７の回動によって箱体９６の底板上面を前後に摺動するようになっている。１０２は平板状のフランジ部であり、雌ネジ移動子１０１の左側部に固着され、中央部に前部ギャング角調節ボルト４３が挿通するボルト挿通パイプ１０４の基部が固着され、ボルト挿通パイプ１０４が垂直に立設されている。前述した前部左ギャングバー２９内端部のアーム８５と、前部右ギャングバー３０内端部のアーム部８６の先端交差部に下方から挿通する前部ギャング角調節ボルト４３（図１０参照）が、ボルト挿通パイプ１０４の中心部を挿通し上端突出部にナット１０３を螺着している。ナット１０３をボルト挿通パイプ１０４の上端面に締付けると、前部ギャング角調節ボルト４３が前記のアーム部８５と８６を締め付け、前部左ギャング４と前部右ギャング５が前部ギャング調節装置４２に固定される。ボルト挿通パイプ１０４を設けたのは、ナット１０３を箱体９６の上方に位置させ、捻回を容易にするためである。
【００３９】
１０５は、前部ギャング角調節ボルト４３が前後に移動するボルト移動溝穴であり、前後方向に箱体９６の底板に設けられている。１０６と１０７は、箱体９６の底板上面に固着され、前記平板状のフランジ部１０２の左端面と雌ネジ移動子１０１の下部右側面に摺動自在に当接し、雌ネジ移動子１０１を横振れなく前後に移動させるものである。前部ギャング角調節ボルト４３が箱体９６の前部位置にあるとき、前部デスクハロー２はギャング角がゼロである。左右のクランプ金具４０の緊締を緩め、ギャング角調節ネジ棒９７を回転し雌ネジ移動子１０１を後方に移動させると、前部左ギャング４のアーム部８５と前部右ギャング５のアーム部８６の交差先端部が後方に移動し、前部左ギャング４と前部右ギャング５とが前方に対し凹形状になり、前部デスクハロー２にギャング角を与えることができる。そして、ナット１０３をボルト挿通パイプ１０４に締付け、左右のクランプ金具４０を締付けるとギャング角が固定する。前部デスクハロー２のギャング角は、ギャング角調節ネジ棒９７の捻回で行うので、無断階に調節される。
【００４０】
次に、図１５、図１６を参照し説明すると、４４は、後部デスクハロー３の後部ギャング角調節装置であり、前述した前部ギャング角調節装置４２と同様の構成である。すなわち、箱体１０８が後部水平バー３７の前部中央に水平に固着され、右側にグャング角調節ネジ棒１１１を前後方向に沿って水平に設けている。ギャング角調節ネジ棒１１１は、スパナをかける六角頭部が箱体１０８の前面に突出し、端末部が箱体１０８の後部右側に立設した軸受け１１４に軸支されている。１１５、１１６は、軸受け１１４を挟んでギャング角調節ネジ棒１１１に固定されたナットである。ギャング角調節ネジ棒１１１は、ナット１１５、１１６によって前後への移動が止められ、軸受け１１４に対し回動自在になっている。１１７は、ナット１１５、１１６をギャング角ネジ棒１１１に固定している止め栓である。
【００４１】
１１２は雌ねじ異動子であり、ギャング角調節ネジ棒１１１に螺合し、底部が箱体１０８の底板上面を摺動するようになっている。１１３は平板状のフランジ部であり、雌ねじ異動子１１２の左側部に固着され、中央部に前部ギャング角調節ボルト４５を挿通するボルト挿通パイプ１１０の基端面が固着され、ボルト挿通パイプ１１０が垂直に立設されている。
【００４２】
図１５で説明したギャング角調節ボルト４５は、ボルト挿通パイプ１１０の中心部を挿通し上端突出部にナット１０９を螺着し、ナット１０９を締付けるとギャング角調節ボルト４５がアーム部８５と８６（図１１参照）を締付け、後部左ギャング６と後部右ギャング７が後部ギヤング角調節装置４４に固定される。１１８はボルト移動溝穴であり、ギャング角調節ボルト４５が前後に移動するものである。１１９と１２０はガイドレールで、箱体１０８の底板上面に固着され、それぞれ平板状のフランジ部１１３の左端面と雌ネジ移動子１１２の右端面下部に摺動自在に接し、雌ネジ移動子１１２を横振れなく前後に移動させるものである。
【００４３】
次に、本発明は、後部デスクハロー３の後方にケージローラ９を配設している。図２２によってケージローラ９を説明すると、１３９はＬ形アームであり、前端部を方形フレーム１の後部に左右対向に立設したヒンジ２５にヒンジピン１３６で枢着し、中間部を方形フレーム１の後端部左右に左右対向に立設したケージローラ上下動制限枠２６に挿通している。ケージローラ上下動制限枠２６は正面視が逆Ｕ形であり、側面に複数の高低調節孔１３８を上下方向に位置を偏位させるとともに、等ピッチに前後２列に設けている。
【００４４】
ケージローラ上下動制限枠２６の高低調節孔１３８には、ストッパーピン１３７がＬ形アーム１３９の上下面と間隙を隔て左右方向に挿通し抜け止めをしている。ストッパーピン１３７がＬ形アーム２６の上下面と当接することによって、Ｌ形アームの上下動が制限されるようになっている。前述した前列と後列の高低調節孔１３８を選択してストッパーピン１３７を挿通することによって、Ｌ形アーム２６の上下動の範囲を細かく調節できるようになっている。
【００４５】
１４１は逆Ｕ形フレームであり、後部デスクハロー３の耕耘幅よりも長い角パイプの左右に縦アーム１４２を垂下に固着し、上面の中央から左右に、方形フレーム１後部のヒンジ２５に前端部が枢着された左右のＬ形アーム１３９、１３９の下端部が連結できる間隔に、ブラケット１４０を立設している。実施例は逆Ｕ形フレーム１４１の中央から左右に立設したブラケット１４０の内側と外側に１枚ずつデスクハロー円板のピッチでブラケット１４０が計６枚立設され、Ｌ形アーム１３９の下端部を符号省略の複数のボルトナットで取付け可能にしている。このようにブラケット１４０を６枚設けるのは、後述する実施例２および３において、デスクハローをオフセット形式にギャングを配設したとき、ケージローラ９をオフセット寸法に対応して移動させるためである。
【００４６】
１４４はサイドプレートであり、直径４０ｃｍの円形鋼の同心外周縁部にロッド１４５が挿通する９個の孔を等ピッチに設けている。左右のサイドプレート１４４間の間隔を後部デスクハロー３の耕耘幅より若干広くし、円板中心を一致させ前進方向に沿って左右に並べている。１４５はサイドプレート１４４と同径の中間部リングであり、外周縁部にサイドプレート１４４と同じにロッド１４６が挿通される９個の孔を等ピッチに設け、左右のサイドプレート１４４の間に等間隔に５枚配設している。
【００４７】
１４６はロッドであり、左右のサイドプレート１４４と５枚の中間部リング１４５の外周縁部にそれぞれ設けた９個の孔を挿通し、それぞれ前記孔部に溶着されるとともに、左側のサイドプレート１４４におけるロッド１４６の溶着位置が、右側におけるサイドプレート１４４のロッド１４６の溶着位置よりも外周縁の孔ピッチで１ピッチ進んだ位置になっている。すなわち、ロッド１４６は左側から右側に斜設され、接地回転時に土壌を左から右に移動させながら砕土するようになっている。
【００４８】
また、左右のサイドプレート１４４は中心の外側面に図示しない中心軸が水平に突設されている。逆U形フレーム１４１の左右に垂下された縦アーム１４２の下端部には、軸受け１４３が設けられ、左右のサイドプレート１４４の外側面に突設された前記中心軸が回動自在に支持され、左右のサイドプレート１４４と５枚の中間部リング１４５にロッド１４６を周設したケージ円筒体が、逆U形フレーム１４１の内側に回動自在に支持されケージローラ９を構成している。
【００４９】
１４９は均し板であり、左右の縦アーム１４２の下端部から後方へそれぞれ平面視Ｌ形の均し板用アーム１４７を突設し、Ｌ形の外方折り曲げ部に当接した四角形のゴム板に挟み板１４８を当接し、ゴム板１４８を複数のボルトナットで固定している。均し板１４９は、耕耘継ぎ目部分を均すものである。
【００５０】
次に、図１、図２における２８はスタンドであり、図１５のように、後部水平バー３７の中央部上面から後方へブラケット１２１を突設し、その後端部に角筒１２２を垂直に固着している。角筒１２２は、中間部に設けた連通孔１２３に止めピン１２４を挿通し、その端末に公知のベータ止めピン１２５を挿しこみ、抜け止めされるようになっている。
【００５１】
さらに、図２３、図２４によりスタンド２８を説明すると、止めピン１２４が連通する複数の高低調節孔１５０を設けた支柱２８aを角筒１２２に上下動自在に挿通している。支柱２８aは、断面四角形で下端部に接地底板１５１を水平に固着している。そして、常時は支柱２８aを図２３のように引上げ、角筒１２２に止めピン１２４で止めておき、使用時には止めピン１２４を引き抜き、支柱２８aを下げ、接地底板１５１を地面（ＧＬ）に接し、再び止めピン１２４で角筒１２２に支柱２８aを固定するものである。
【００５２】
方形フレーム１に前部デスクハロー２を装着したまま、接地底板１５１を地面に接し支柱２８aを角筒１２２に固定すると、方形フレーム１は地面上に支持されるので、カルチベータ８の上下調節や後部デスクハロー３の取外しやギャング角調節が安全かつ容易に行なうことができる。
【００５３】
次に、図３、図４を参照し、第２実施例を説明すると、第２実施例は、前部デスクハロー５１と後部デスクハロー５２以外は、第１実施例と全く同じである。前部デスクハロー５１および後部デスクハロー５２は、それぞれ前部ギャングバー５３および後部ギャングバー６０の下方に１２枚の円板を、第１実施例と同じ円板ピッチで配設している。前部デスクハロー５１は花形円板４８を左方に凹面を向け、後部デスクハロー５２は全円板４９を右方に凹面を向け、耕耘時に発生する横方向抵抗力を相殺し、直進性を保つようになっている。前部デスクハロー５１は、前部ギャングバー５３の両端部から前方に突設したブラケット５９に保護パイプ５８を花形円板４８の円板群前方に水平に設けている。
【００５４】
前部ギャングバー５３は、長手方向の中央とその左右に、前述した前部ギャング角調節装置４２のギャング角調節ボルト４３が貫通するオフセット調節孔５５、５６、５７を等間隔に設けている。前記の等間隔は、配設円板ピッチにすることが好ましい。後部ギャングバー６０は、中央部前面に後部ギャング移動板６１を水平に固着し、その前縁部にオフセット調節孔６２、６３、６４を後部ギャングバー６０と平行な横一線上の中央部左右に等間隔に設けている。前記等間隔は円板ピッチにすることが好ましい。オフセット調節孔６２、６３、６４は、前述した後部ギャング角調節装置４４のギャング調節ボルト４５が貫通するものである。
【００５５】
図１７は図３におけるＤ−Ｄ線矢視の正面図である。後部デスクハロー５２は、後部ギャング移動板６１の中央部のオフセット調節孔６３がギャング調節ボルト４５に固定され、後部水平バー３７にクランプ金具６５で後部ギャングバー６０の両端部が固定されている。後部ギャングバー６０の左右両端部と中央部左右にギャング支柱取付け板７８が直交に固着され、第１実施例と同様に、ギャング支柱８９の上端部を取付けている。図１８において、１２７はギャング移動板６１の両縁部に設けたギャング支柱取付け孔である。すなわち、中央部左右のギャング支柱取付け板７８の前部を、後部ギャング移動板６１が兼ねているのである（図１７参照）。
【００５６】
また、図１７における軸受け９０、ベアリングスプール９１、デスクスプール９２、ワッシャ９４は、第１実施例と同一である。１２６はギャングボルトであり、ワッシャ９４、全円板４９、軸受け９０、全円板４９、デスクスプール９２等を順次に連通し、最終右側の全円板４９外面に接するナット９５（図２参照）が端末部に螺着され、ナット９５を締め付け後部デスクハロー５２が構成されている。
【００５７】
第２実施例において、図３のように、前部ギャングバー５３中央部のオフセット調節孔５６にギャング角調節ボルト４３を取付け、後部ギャング移動板６１の中央部のオフセット調節孔６３にギャング角調節ボルト４５を取付けた場合が標準状態である。図１８は、前部ギャングバー５３の左側のオフセット調節孔５５をギャング角調節ボルト４３に取付け、後部ギャング移動板６１における左側のオフセット調節孔６２をギャング角調節ボルト４５に取付け、前部デスクハロー５１と後部デスクハロー５２をそれぞれ右側にオフセットした場合である。また、オフセット調節孔５７をギャング角調節ボルト４３に取付け、オフセット調節６４をギャング角調節ボルト４５に取付けると、前部および後部デスクハロー５１おおよび５２が左側にオフセット（片寄せ）される。
【００５８】
図３、図４において、前部デスクハロー５１は、前部ギャングバー５３が方形フレーム１の前部左側水平バー１７と前部右側水平バー１８上にクランプ金具５４で締付けられ、方形フレーム１の下方に配設されている。同様に後部デスクハロー５２は、後部水平バー３７上に後部ギャングバー６０がクランプ金具６５で締付けられている。前部デスクハロー５１は、クランプ金具５４とギャング角調節ボルト４３を緩め前部ギャングバー５３をギャング角調節ボルト４３周りに回動すれば、ギャング角を調節することができる。後部デスクハロー５２も、クランプ金具６５とギャング角調節ボルト４５を緩め、後部ギャングバー６０をギャング角調節ボルト４５周りに回動すれば、ギヤング角を調節することができる。
【００５９】
図４、図１８を参照し説明すると、前部デスクハロー５１は、前部ギャングバー５３の両端部と中央部に直交に固着しているギャング支柱取付け板７８の後端部に、スクレーパバー７９を前部ギャングバー５３と平行に取付け、各花形円板４８の凹面中央の後半部に先端部が当接するスクレーパ８０をスクレーパバー７９に配設している。後部デスクハロー５２にも、後部ギャングバー６０に直交に設けたギャング支柱取付け板７８の後端部にスクレーパバー７９を取付け、同様にスクレーパ８１を各全円板４９に配設している。
【００６０】
次、図５、図６を参照し、第３実施例を説明する。第３実施例は、方形フレーム１に第１実施例と同じにカルチベータ８およびケージローラ９を配設し、前部左デスクハロー６６、前部右デスクハロー６７ならびに後部左デスクハロー７０、後部右デスクハロー７１を配設している。
【００６１】
図１９も参照し説明すると、前部左デスクハロー６６、前部右デスクハロー６７は、第２実施例の前部デスクハロー５１を２分割した形態であり、６８および６９はそれぞれ前部左ギャングバーおよび前部右ギャングバーであり、それぞれ角パイプを用い下方に６枚の花形円板４８が凹面を左向きに揃え、同じピッチで配設している。前部左ギャングバー６８は、左端部を方形フレーム１の前部左側水平バー１７の左端部にクランプ金具７４で着脱自在に取付け、中間部を方形フレーム１の中間部横桁１１にクランプ金具７６で着脱自在に取付けている。前部右ギャングバー６９は、左端部を方形フレーム１の前部横桁１０の右端部にクランプ金具７６で着脱自在に取付け、中間部を方形フレーム１の前部右側水平バー１８の右端部にクランプ金具７４で着脱自在に取付けている。
【００６２】
第３実施例の平面図である図５において、前部左デスクハロー６６は、ギャング支柱取付け板７８にギャング支柱８９を、図１７と同様に取付け、ギャング支柱８９の下端に軸受け９０を取付けてベアリングスプール９１を軸支し、花形円板４８の間にデスクスプール９２を配置している。右端末の花形円板４８の凸面中心部にワッシャ９４を当接し、ギャングボルトをワッシャ９４から順次に花形円板４８、ベアリングスプール９１、花形円板４８、デスクスプール９２等に連通し、左端末の花形円板４８の凹面中心部でギャングボルト端末にナット（図２に示す９５と同じ）を締付け固定している。
【００６３】
図５に示すように、前部左右のデスクハロー６６と６７は、前部左ギャングバー６８および前部右ギャングバー６９の両端部から前方に突設するブラケット５０の前端部に、保護パイプ４６および４７が、図１と同様に、ギャング前方に水平に固着されている。また、各ギャング支柱取付け板７８の後端部に、前部左ギャングバー６８および前部右ギャングバー６９と平行にスクレーパバー７９を取付け、先端部が円板の凹面中央後半部に当接するスクレーパ８０を配設している。
【００６４】
後部左右のデスクハロー７０および７１は、それぞれ後部左ギャングバー７２および後部右ギャングバー７３の左右両端部にギャング支柱取付け板７８をギャングバーと直交に固着している。第１実施例の要部平面図である図８、同じく図８の要部後面図である図１２と同様に、各ギャング支柱取付け板７８の下部に取付けたギャング支柱８８、８９の下端部に軸受け９０を取付け、ベアリングスプール９１を軸支し、それぞれ６枚の全円板４９（図５参照）を前部左右のデスクハロー６６、６７と同一に配設している。さらに、各ギャング支柱取付け板７８の後端部にギャングンバーと平行にスクレーパバー７９を取付け、前部デスクハロー６６、６７と同一にスクレーパ８１をスクレーパバー７９に取付けている。
【００６５】
第３実施例のデスクハローは、図１９のように、前部左デスクハロー６６は前部ギャングバー６８が方形フレーム１の左側水平バー１７にクランプ金具７４で左端部が取付けられるとともに、中間部が中間部横桁１１にクランプ金具７６で着脱自在に取付けられている。前部右デスクハロー６７は、前部右ギャングバー６９が方形フレーム１の前部右側水平バー１８の右端部にクランプ金具７４で中間部が着脱自在に取付けられ、左端側が方形フレーム１の前部横桁１０の右端側にクランプ金具７６で着脱自在に取付けられている。
【００６６】
同じく図１９において、後部左デスクハロー７０は、後部左ギャングバー７２の左端部が方形フレーム１の後部に設けた後部水平バー３７の左端部にクランプ金具７５で着脱自在に取付けられるとともに、中間部が後部水平バー３７の中間部にクランプ金具７７によって着脱自在に取付けられている。後部右デスクハロー７１は、後部右ギャングバー７３の中間部が後部水平バー３７の右端部にクランプ金具７５で着脱自在に取付けられるとともに、左端部がクランプ金具７７で後部水平バー３７に着脱自在に取付けられている。
【００６７】
前部左デスクハロー６６は前部右デスクハロー６７に対し左後方に位置し、後部左デスクハロー７０は後部右デスクハロー７１の左前方に位置している。また、前部左右のデスクハ、ロー６６および６７を、右端部が左端部より後退したギャング角にし、後部左右のデスクハロー７０および７１を右端部が左端部より前進したギャング角に取付け、左側の前後部のデスクハロー６６、７０および右側の前後部のデスクハロー６７、７１がオフセット形式に配設している。
【００６８】
第３実施例における前部左右のデスクハロー６６、６７は、クランプ金具７４、７６を緩めることによって、左右に移動し耕耘幅を加減し、ギャング角を調節するものである。後部左右のデスクハロー７０，７１も、クランプ金具７５、７７を緩め、左右に位置を移動し耕耘幅を加減し、またギャング角を調節するものである。また、第３実施例では、前部と後部のデスクハローの円板がその凹面を逆向きにしているので、相互に発生する横方向力を打ち消し、直進性が保たれるようになっている。
【００６９】
【発明の効果】
請求項１の直装形複合作業機は、トラクタの油圧三点リンクヒッチに着脱自在な方形フレームの下方を横断し、前方から順次後方に耕起砕土機能をもった前部デスクハロー、高低調節自在なカルチベータ、耕起砕土機能をもった高低調節可能な後部デスクハロー、上下動を制限した均平鎮圧機能を有するケージローラを配設している。したがって、前部デスクハローで砕土した土壌をさらにカルチベータで砕土し、続いて後部デスクハローで土壌を混ぜ返しながら細砕土し、さらにケージローラで均平に鎮圧し、一工程で良好な播種床を能率的に造成することができる。特にケージローラの上下動を制限したので、ケージローラの浮上を抑え、好適な均平鎮圧作用を得ることができる。
【００７０】
しかも、トラクタの油圧三点リンクヒッチに連結するものにしたので、作業機を容易に昇降することができるので、回行に要する枕地を小さくすることができる。また、１工程作業が可能なので、トラクタの圃場に入る回数を減少することができ、トラクタによる土壌踏圧を減少し土壌固化による作物栽培上の悪影響を解消することができる。
【００７１】
請求項２の発明は、方形フレームに配設する前部と後部のデスクハローを円板の凹面逆向きに配設するとともに、オフセット可能に配設した。したがって、トラクタが近づきにくい場所や樹木等の際までの耕耘砕土が可能であり、耕耘残し面積を大幅に減少させることができる。
【００７２】
請求項３の発明は、前部と後部のデスクハローを、それぞれ前後に位置させた円板数が同一の左右のギャングに形成し、これを方形フレームにクランプ金具で着脱自在に取付けるようにしたので、クランプ金具を緩めることによってギャングを移動することができ、デスクハローの耕耘幅を簡単に変えることができるという、従来のデスクハローには無い効果を奏することができる。また、左右側の前後２個のデスクハローがそれぞれ円板凹面を逆向きにし、左右にオフセットできるようにしたので、耕耘時に直進性が良好でかつトラクタが近づけない箇所でも耕耘砕土ができる直装形複合作業機を提供することができる。
【００７３】
請求項４の発明によれば、方形フレームの左右縦桁の外側面に高低調節孔を備えた角筒を垂直に固着し、これらの角筒のカルチベータフレームの中央部に立設する高低調節孔を設けた角柱および後部デスクハローを取付ける後部水平バーの中央部に立設する角柱を摺動自在に内嵌し、着脱自在なピンを角筒と角柱の高低調節孔に連通し角柱を角筒に結合するようにしたので、高低調節孔の選択という簡単な操作によってカルチベータおよび後部デスクハローの耕深を簡単容易に調節することができる。
【００７４】
また、方形フレームの後部両側に左右対向にヒンジとその後方にケージローラ上下動制限枠を立設し、ケ−ジローを取付けるＬ形アームの中間部を上下動制限枠に相通し、先端部を前記ヒンジに枢着するものにしたので、Ｌ形アームの先端部をヒンジに着脱することにより、簡単容易にケージローラを方形フレームに着脱することができる。また、Ｌ形アームの後方に突出する下端部にジーローラを左右に位置を変えて取付けるようにしたので、前、後部のデクハローをオフセットさせた場合でも、ケージハローをオフセット寸法に合わせて横移動させ、デスクハローが耕耘した箇所を均平に鎮圧することができる。
【００７５】
請求項５の発明によれば、方形フレームの後方に横設する後部水平バーの中央部後方に上下動自在に設けるスタンドの支柱下端を接地することにより、方形フレームを一時的に支持することができるので、カルチベータや前、後部のデスクハローのギャング角調節を安全に行なうことができる。そして、スタンドを使用しないときには、支柱を引上げて固定しておけば、耕耘作業には支障が無いものにできる。
【図面の簡単な説明】
【図１】本発明に係る第１実施例の平面図である。
【図２】同じく第１実施例の左側面図である。
【図３】同じく第２実施例の平面図である。
【図４】同じく第２実施例の左側面である。
【図５】同じく第３実施例の平面図である。
【図６】同じく第３実施例の左側面図である。
【図７】第１ないし第３実施例における方形フレームの要部斜視図である。
【図８】図１の要部平面図である。
【９図】図８の前部下方部の要部平面図である。
【図１０】図８の前部の要部正面図である。
【図１１】図８の後部デスクハロー下部の要部平面図である。
【図１２】図８における後部デスクハローの要部後面図である。
【図１３】図１０中央部の拡大斜視図である。
【図１４】図１前部中央部の前部ギャング角調節装置の拡大斜視図である。
【図１５】図１後部中央部の後部ギャング角調節装置の拡大斜視図である。
【図１６】Ｂ−Ｂ線の中央部破断面図である。
【図１７】図３におけるＤ−Ｄ線矢視の要部正面図である。
【図１８】第２実施例の右方オフセット状態における要部平面図である。
【図１９】第３実施例の右方オフセット状態の要部平面図である。
【図２０】Ａ−Ａ線縦断面図である。
【図２１】図２０の要部平面図である。
【図２２】第１ないし第３実施例における最後尾部の斜視図である。
【図２３】図１のＣ−Ｃ線矢視の要部縦断面図である。
【図２４】図２３の一部を作動させた側面図である。
【図２５】従来の複合作業機の一例を示す側面図である。
【符号の説明】
１              方形フレーム
１a              左縦桁
１b             右縦桁
２               前部デスクハロー
３               後部デスクハロー
４               前部左ギャング
５               前部右ギャング
６               後部左ギャング
７               後部右ギャング
８               カルチベータ
９               ケージローラ
１０ 前部横桁
１１ 中間部横桁
１７            前部左側水平バー
１８            前部右側水平バー
１９、２０、２１    角筒
２２，２３，２４    角筒
２５            ヒンジ
２６            ケージローラ上下動制限枠
２７            角柱高低調節孔
２７a       角柱高低調節孔
２８            スタンド
２８a          支柱
２９
前部左ギャングバー
３０ 前部右ギャングバー
３７ 後部水平バー
３８ 後部左ギャングバー
３９ 後部右ギャングバー
４０ クランプ金具
４１ クランプ金具
４２ 前部ギャング角調節装置
４３ ギャング角調節ボルト
４４ 後部ギャング角調節装置
４５ ギャング角調節ボルト
４８ 花形円板
４９ 完全円周円板
５１            前部デスクハロー
５２            後部デスクハロー
５５、５６、５７ オフセット調節孔
６１ 後部ギャング移動板
６２、６３、６４   オフセット調節孔
６５ クランプ金具
６６            前部左デスクハロー
６７            前部右デスクハロー
７０            後部左デスクハロー
７１            後部右デスクハロー
１２１     ブラケット
１２２         角筒
１３９         Ｌ形アーム
１５１    接地底板
【図１】
0003940610.tif 000002
【図２】
0003940610.tif 000003
【図３】
0003940610.tif 000004
【図４】
0003940610.tif 000005
【図５】
0003940610.tif 000006
【図６】
0003940610.tif 000007
【図７】
0003940610.tif 000008
【図８】
0003940610.tif 000009
【図９】
0003940610.tif 000010
【図１０】
0003940610.tif 000011
【図１１】
0003940610.tif 000012
【図１２】
0003940610.tif 000013
【図１３】
0003940610.tif 000014
【図１４】
0003940610.tif 000015
【図１５】
0003940610.tif 000016
【図１６】
0003940610.tif 000017
【図１７】
0003940610.tif 000018
【図１８】
0003940610.tif 000019
【図１９】
0003940610.tif 000020
【図２０】
0003940610.tif 000021
【図２１】
0003940610.tif 000022
【図２２】
0003940610.tif 000023
【図２３】
0003940610.tif 000024
【図２４】
0003940610.tif 000025
【図２５】
0003940610.tif 000026